(57)【要約】【課題】  制御手段への電力供給を停止することなく、電源の異常を解消する【解決手段】  画像形成装置は、第１の出力電力を生成する第１電源供給手段と、第２の出力電力を生成する第２電源供給手段と、第２電源供給手段の１次側に設けられる切替手段と、第２電源供給手段によって生成された第２の出力電力を監視する監視手段と、第１電源供給手段によって生成される第１の出力電力が供給され、切替手段をＯＮ状態またはＯＦＦ状態にする電源制御手段と、第１電源供給手段によって生成される第１の出力電力が供給され、電源制御手段の動作を制御する制御手段と、を備える。第２電源供給手段によって生成された第２の出力電力が閾値より低い場合、電源制御手段が第１電源供給手段によって生成される第１の出力電力が制御手段に供給される状態で、電源制御手段は、切替手段をＯＦＦ状態にした後、切替手段をＯＮ状態にする。【選択図】  図３
2015011509.tif 000002
【特許請求の範囲】
【請求項１】
第１の出力電力を生成する第１電源供給手段と、
第２の出力電力を生成する第２電源供給手段と、
前記第２電源供給手段の１次側に設けられる切替手段と、
前記第２電源供給手段によって生成された前記第２の出力電力を監視する監視手段と、
前記第１電源供給手段によって生成される第１の出力電力が供給され、前記切替手段をＯＮ状態またはＯＦＦ状態にする電源制御手段と、
前記第１電源供給手段によって生成される第１の出力電力が供給され、前記電源制御手段の動作を制御する制御手段と、を備え、
前記監視手段の監視結果に基づいて前記電源制御手段が前記第２電源供給手段によって生成された前記第２の出力電力が閾値より低いと判断された場合、前記第１電源供給手段によって生成される前記第１の出力電力が前記制御手段に供給される状態で、前記電源制御手段は、前記切替手段をＯＦＦ状態にした後、前記切替手段をＯＮ状態にする、ことを特徴とする画像形成装置。
【請求項２】
前記切替手段がＯＦＦ状態にされた後、所定時間が経過した後にＯＮ状態にされても、前記電源制御手段によって前記第２電源供給手段によって生成された前記第２の出力電力が閾値より低いと判断される場合、前記制御手段は、シャットダウン処理を行う、ことを特徴とする請求項１に記載の画像形成装置。
【請求項３】
前記切替手段がＯＦＦ状態にされた後、所定時間が経過した後にＯＮ状態にされても、前記電源制御手段によって前記第２電源供給手段によって生成された前記第２の出力電力が閾値より低いと判断される場合、前記電源制御手段は前記制御手段に前記シャットダウン処理を行うよう指示する、ことを特徴とする請求項２に記載の画像形成装置。
【請求項４】
前記監視手段は、前記第２電源供給手段によって生成された前記第２の出力電力が閾値より高い場合に、前記監視結果として、前記電源制御手段に所定の信号を出力する、ことを特徴とする請求項１乃至３のいずれか１項に記載の画像形成装置。
【請求項５】
前記電源制御手段は、前記切替手段をＯＮ状態にした後、所定時間が経過する前に前記所定の信号を受信した場合に、前記第２電源供給手段によって生成された前記第２の出力電力が閾値より高いと判断し、前記切替手段をＯＮ状態にした後、前記所定時間が経過するまでに前記所定の信号を受信しない場合に、前記第２電源供給手段によって生成された前記第２の出力電力が閾値より低いと判断する、ことを特徴とする請求項１乃至４のいずれか１項に記載の画像形成装置。
【請求項６】
時間を計測する計測手段をさらに備え、
前記計測手段により前記所定時間が計測された場合に、前記電源制御手段は、前記切替手段をＯＮ状態にする、ことを特徴とする請求項１乃至５のいずれか１項に記載の画像形成装置。
【請求項７】
前記第２電源供給手段は、入力される交流電力を用いて直流の第２の出力電力を生成する、ことを特徴とする請求項１乃至６のいずれか１項に記載の画像形成装置。
【請求項８】
前記第２電源供給手段は、前記第２の出力電力を、用紙に画像を形成するプリンタ部または原稿の画像を読み取るスキャナ部に電力を供給する、ことを特徴とする請求項１乃至７のいずれか１項に記載の画像形成装置。
【請求項９】
前記制御手段は、前記プリンタ部または前記スキャナ部の動作を制御する、ことを特徴とする請求項８に記載の画像形成装置。
【請求項１０】
前記電源制御手段は、ＣＰＬＤである、ことを特徴とする請求項１乃至９のいずれか１項に記載の画像形成装置。
【発明の詳細な説明】
【技術分野】
【０００１】
本発明は、出力電圧を監視する監視手段を備える画像形成装置に関する。
【背景技術】
【０００２】
停電や瞬間的な電圧降下（ブラウンアウト）を監視する監視部を備える画像形成装置が知られている（特許文献１）。特許文献１に開示される画像形成装置は、停電や瞬間的な電圧降下を、入力された電圧の低下に基づいて検知する電源監視部を備えている。この電源監視部は、入力された電圧が所定の閾値を下回った場合に、所定の信号をコントローラへ出力する電気回路である。コントローラのＣＰＵは、電源監視部から前記所定の信号を受信した場合に、画像形成装置の初期化処理を行った後、画像形成装置を電力供給が途絶えた状態、すなわちプラグが交流電力から切り離された状態とする。その後、コントローラのＣＰＵに電力が供給されて、当該電力が供給されたＣＰＵが起動の処理を実行する。
【先行技術文献】
【特許文献】
【０００３】
【特許文献１】特開２００９−２１３０４２号公報
【発明の概要】
【発明が解決しようとする課題】
【０００４】
上記した引用文献１に開示される画像形成装置では、電源の異常が発生した場合に、コントローラへの電力供給が一旦停止される。このため、画像形成装置を復帰させるためには、コントローラの起動の処理が必要になるので、電源の異常が解消されても、画像形成装置が使用可能な状態になるまでに時間がかかってしまう。
【０００５】
そこで、本発明は、制御手段への電力供給を停止することなく、電源の異常を解消することが可能な画像形成装置を提供することを目的とする。
【課題を解決するための手段】
【０００６】
本発明の画像形成装置は、第１の出力電力を生成する第１電源供給手段と、第２の出力電力を生成する第２電源供給手段と、前記第２電源供給手段の入力側に設けられるスイッチと、前記第２電源供給手段によって生成された前記第２の出力電力を監視する監視手段と、前記第１電源供給手段によって生成される第１の出力電力が供給され、前記スイッチをＯＮ状態またはＯＦＦ状態にする電源制御手段と、前記第１電源供給手段によって生成される第１の出力電力が供給され、前記電源制御手段の動作を制御する制御手段と、を備えている。そして、前記監視手段の監視結果に基づいて前記電源制御手段が前記第２電源供給手段によって生成された前記第２の出力電力が閾値より低いと判断した場合、前記電源制御手段は、前記第１電源供給手段によって生成される前記第１の出力電力が前記制御手段に供給される状態を維持して、前記スイッチをＯＦＦ状態にした後、所定時間が経過した後に前記スイッチをＯＮ状態にする。
【発明の効果】
【０００７】
本発明の画像形成装置によれば、制御手段への電力供給を停止することなく、電源の異常を解消することができる。
【図面の簡単な説明】
【０００８】
【図１】第１実施形態の画像形成装置の斜視図である。
【図２】画像形成装置のコントローラのブロック図である。
【図３】画像形成装置の電源回路図である。
【図４】画像形成装置の電力状態遷移図である。
【図５】各電力状態におけるデバイスの状態を示す表である。
【図６】電源制御部が実行する処理を示すフローチャートである。
【図７】第２実施形態の画像形成装置の電源回路図である。
【図８】第２実施形態の画像形成装置の電源制御部が実行する処理を示すフローチャートである。
【図９】電源電圧が降下した場合に電源制御部から出力される制御信号のタイムチャートを示した図である。
【発明を実施するための形態】
【０００９】
以下、本発明を実施するための形態について図面を用いて説明する。
【００１０】
（第１実施形態）
＜画像形成装置の全体構成＞
図１は、本発明の第１実施形態の画像形成装置の外観を示した図である。
【００１１】
図１に示すように、画像形成装置１０は、ユーザインターフェース（ＵＩ）である操作部１２と、画像入力デバイスであるスキャナ部１３と、画像出力デバイスであるプリンタ部１４と、を備えている。
【００１２】
操作部１２は、ユーザによって操作される各種ボタン１２１と、画像を表示する表示部１２２と、を有している。この表示部１２２には、画像形成装置１０のステータスを表示するステータス画面、コピー機能やファックス機能を実行するために必要な情報を入力するための設定画面などが表示される。ボタン１２１は、印刷部数などを入力するためのボタン１２１ａ、コピーやＦＡＸ送信などを開始するためのスタートボタン１２１ｂ、および画像形成装置１０を省電力状態（後述する第１スリープ状態）に移行させるための節電ボタン１２１ｃを有している。
【００１３】
スキャナ部１３は、原稿上に形成された画像を読み取って画像データを取得するデバイスである。原稿上に形成された画像に照射された光の反射光をＣＣＤに入力することによって、当該画像の情報を電気信号に変換する。この電気信号は、Ｒ，Ｇ，Ｂ各色からなる輝度信号に変換され、後述するコントローラ１１に対して出力される。
【００１４】
スキャナ部１３によって読み取られる原稿は、原稿フィーダ２０１のトレイ２０２にセットされる。ユーザが、操作部１２を用いて読み取り開始の指示を入力すると、スキャナ部１３は、原稿フィーダ２０１のトレイ２０２から原稿を１枚ずつフィードして、原稿の読み取り動作を行う。なお、原稿の読み取り方法は、原稿フィーダ２０１による自動送り方式ではなく、不図示のガラス面に載置された原稿に対して、光源やＣＣＤが搭載されたキャリッジを走査する方法であってもよい。
【００１５】
プリンタ部１４は、入力された画像データを用いて用紙に画像を形成するデバイスである。なお、本実施形態のプリンタ部１４の画像形成方式は、感光体ドラムや感光体ベルトを用いた電子写真方式であるが、本発明はこれに限定されない。例えば、プリンタ部１４は、微少ノズルアレイからインクを吐出して用紙上に印字するインクジェット方式であっても良い。
【００１６】
また、画像形成装置１０は、プリンタ部１４によって画像が形成される用紙を収納する複数の用紙カセット２０３、２０４、および２０５を有している。また、画像形成装置１０は、プリンタ部１４によって画像が形成された用紙が排出される複数の用紙カセット排紙トレイ２０６を有している。
【００１７】
＜画像形成装置１０のコントローラ１１の説明＞
図２を参照して、画像形成装置１０の全体の動作を制御するコントローラ１１の詳細について説明する。
【００１８】
図２に示すように、コントローラ１１は、上記したスキャナ部１３、プリンタ部１４および操作部１２と電気的に接続されている。このコントローラ１１は、ＣＰＵ３０１、ＲＡＭ３０２、ＲＯＭ３０３、操作部Ｉ／Ｆ３０５、ＬＡＮコントローラ３０６、および電源制御部４０１を備えている。そして、ＣＰＵ３０１、ＲＡＭ３０２、ＲＯＭ３０３、操作部Ｉ／Ｆ３０５、ＬＡＮコントローラ３０６、および電源制御部４０１は、システムバス３０７に接続されている。また、コントローラ１１は、ＨＤＤ３０４、画像処理部３０９、スキャナ画像処理部３１０およびプリンタ画像処理部３１２を備えている。ＨＤＤ３０４、画像処理部３０９、スキャナ画像処理部３１０およびプリンタ画像処理部３１２は、画像バス３０８に接続されている。
【００１９】
ＣＰＵ３０１は、ＲＯＭ３０３に記憶された制御プログラム等に基づいて接続中の各種デバイスとのアクセスを統括的に制御すると共に、コントローラ１１で実行される各種処理についても統括的に制御する。
【００２０】
ＲＡＭ３０２は、ＣＰＵ３０１が動作するためのシステムワークメモリである。このＲＡＭ３０２は、画像データを一時記憶するためのメモリでもある。ＲＡＭ３０２は、電源がオフの場合でも記憶した内容を保持することが可能なＳＲＡＭ、及び電源がオフの場合には記憶した内容が消去されるＤＲＡＭを有している。ＲＯＭ３０３には、装置のブートプログラムなどが格納されている。ＨＤＤ３０４は、ハードディスクドライブであり、システムソフトウェアや画像データを格納する。
【００２１】
操作部Ｉ／Ｆ３０５は、システムバス３０７と操作部１２と接続するためのインターフェース部である。この操作部Ｉ／Ｆ３０５は、操作部１２に表示するための画像データをシステムバス３０７から受け取り操作部１２に出力すると共に、操作部１２から入力された情報をシステムバス３０７へと出力する。
【００２２】
ＬＡＮコントローラ３０６は、画像形成装置１０と、ＬＡＮ６０に接続される外部装置２０との間の情報の入出力を制御する。
【００２３】
電源制御部４０１は、画像形成装置１０の各部への電力供給を制御する。電源制御部４０１の詳細についは後述する。
【００２４】
画像バス３０８は、画像データをやり取りするための伝送路であり、ＰＣＩバスやＩＥＥＥ１３９４等のバスで構成されている。
【００２５】
画像処理部３０９は、画像処理を行うためのものであり、ＲＡＭ３０２に記憶された画像データを読み出し、ＪＰＥＧ、ＪＢＩＧなどの拡大または縮小および、色調整などの画像処理を行う。スキャナ画像処理部３１０は、スキャナ部１３からスキャナＩ／Ｆ３１１を介して受信した画像データに対して、補正、加工、及び編集を行う。なお、スキャナ画像処理部３１０は、受取った画像データがカラー原稿か白黒原稿か、文字原稿か写真原稿かなどを判定する。そして、その判定結果を画像データに付加する。こうした付加情報を属性データと称する。プリンタ画像処理部３１２は、画像データに付加されている属性データを参照して、画像データに画像処理を施す。画像処理後の画像データは、プリンタＩ／Ｆ３１３を介してプリンタ部１４に出力される。
【００２６】
スキャナ部１３は、スキャナ制御部３３１とスキャナ駆動部３３２とを有している。スキャナ駆動部３３２は、トレイ２０２にセットされた原稿をスキャナ部１３の読取位置まで搬送するための紙搬送用のモーターなどを含み、物理的に駆動するデバイスである。スキャナ制御部３３１は、スキャナ駆動部３３２の動作を制御する。スキャナ制御部３３１は、スキャナ処理を行う際にユーザによって設定された設定情報をＣＰＵ３０１との通信により受信し、当該設定情報に基づいてスキャナ駆動部３３２の動作を制御する。
【００２７】
プリンタ部１４は、プリンタ制御部３４１とプリンタ駆動部３４２とを有している。プリンタ駆動部３４２は、不図示の定着器や紙搬送モーターなどを含み、物理的に駆動するデバイスである。プリンタ制御部３４１は、プリンタ駆動部３４２の動作を制御する。プリンタ制御部３４１は、プリント処理を行う際にユーザによって設定された設定情報をＣＰＵ３０１との通信により受信し、当該設定情報に基づいてプリンタ駆動部３４２の動作を制御する。
【００２８】
＜画像形成装置１０の電源ユニット４０の説明＞
図３は、画像形成装置１０の電源回路図である。上記した画像形成装置１０の各部には、電源ユニット４０によって生成された電力が供給される。この電源ユニット４０は、第１電源供給部４１０と、第２電源供給部４１１と、第３電源供給部４１２と、第１電源監視部４１３、第２電源監視部４１４と、第３電源監視部４１５と、を有している。
【００２９】
第１電源供給部４１０は、プラグＰを介して供給される交流電力を直流電力（例えば、５．１Ｖ（第１の出力電力））に変換する。そして、当該直流電力が、第１電源系統のデバイス（電源制御部４０１、ＣＰＵ３０１、ＲＡＭ３０２、ＲＯＭ３０３、ＨＤＤ３０４、ＬＡＮコントローラ３０６、および操作部１２のボタン１２１）に供給される。本実施形態では、ＣＰＵ３０１は、第２電源供給４１１や第３電源供給部４１２からの電力供給を受けずに、第１電源供給部４１０から供給される電力で動作する。つまり、ＣＰＵ３０１の電源は、第２電源供給部４１１および第３電源供給部４１２から独立している。第２電源供給部４１１は、プラグＰを介して供給される交流電力を直流電力（例えば、１２Ｖ（第２の出力電力））に変換する。この直流電力は、第２電源系統のデバイス（操作部１２の表示部１２２、画像処理部３０９、スキャナ画像処理部３１０、プリンタ画像処理部３１２、プリンタ部１４のプリンタ制御部３４１、およびスキャナ部１３のスキャナ制御部３３１）に供給される。また、第３電源供給部４１２は、プラグＰを介して供給される交流電力を直流電力（例えば、２４Ｖ）に変換して、第３電源系統のデバイス（プリンタ駆動部３４２、およびスキャナ駆動部３３２）に電力を供給する。
【００３０】
第１電源監視部４１３は、第１電源供給部４１０の出力電圧を監視している。そして、第１電源監視部４１３は、第１電源供給部４１０の出力電圧が閾値を超えたことを検知すると、監視結果として、電源制御部４０１に対しパワーグッド信号Ａを出力する。
【００３１】
第２電源監視部４１４は、第２電源供給部４１１の出力電圧を監視している。そして、第２電源監視部４１４は、第２電源供給部４１１の出力電圧が閾値を超えたことを検知すると、監視結果として、電源制御部４０１に対しパワーグッド信号Ｂを出力する。また、第３電源監視部４１５は、第３電源供給部４１２の出力電圧を監視している。そして、第３電源監視部４１５は、第３電源供給部４１２の出力電圧が閾値を超えて印加されたことを検知すると、監視結果として、電源制御部４０１に対しパワーグッド信号Ｃを出力する。
【００３２】
また、第１電源供給部４１０と第１電源系統のデバイスとの間（第１電源供給部４１０の１次側）には、ユーザの操作によってＯＮ状態またはＯＦＦ状態となる電源スイッチ４１６が設けられる。電源制御部４０１には、電源スイッチ４１６の状態（ＯＮ状態もしくはＯＦＦ状態）を示す信号Ｄが入力されている。そして、この電源スイッチ４１６と並列に、ＦＥＴ（電界効果トランジスタ）からなるスイッチ４１７が設けられる。このスイッチ４１７は、電源制御部４０１から出力される制御信号Ｅによって、ＯＮ状態からＯＦＦ状態、またはＯＦＦ状態からＯＮ状態になる。なお、電源スイッチ４１６には、図示しないソレノイドが設けられている。電源制御部４０１から出力される制御信号Ｋに応じて、当該ソレノイドに電圧が印加されて電源スイッチ４１６がＯＦＦ状態になる。
【００３３】
プラグＰと第２電源供給部４１１との間（第２電源供給部４１１の１次側）には、リレースイッチ（切替手段）４１８が設けられる。また、プラグＰと第３電源供給部４１２との間（第３電源供給部４１２の１次側）には、リレースイッチ４１９が設けられる。リレースイッチ４１８および４１９は、電源制御部４０１から出力される制御信号Ｆによって、ＯＮ状態からＯＦＦ状態、またはＯＦＦ状態からＯＮ状態になる。
【００３４】
電源スイッチ４１６と操作部１２のボタン１２１およびＬＡＮコントローラ３０６との間には、スイッチ４２０が設けられる。スイッチ４２０は、電源制御部４０１から出力される制御信号Ｇによって、ＯＮ状態からＯＦＦ状態、またはＯＦＦ状態からＯＮ状態になる。また、電源スイッチ４１６とＣＰＵ３０１、ＲＯＭ３０３およびＨＤＤ３０４との間には、スイッチ４２１が設けられる。スイッチ４２１は、電源制御部４０１から出力される制御信号Ｈによって、ＯＮ状態からＯＦＦ状態、またはＯＦＦ状態からＯＮ状態になる。
【００３５】
＜画像形成装置１０の電力状態について＞
図４は、画像形成装置１０の電力状態の遷移図である。図５は、画像形成装置１０の各電力状態におけるデバイスのＯＮ／ＯＦＦ状態を示した図である。図４および図５を参照して、画像形成装置１０の電力状態について説明する。画像形成装置１０は、電源ＯＦＦ状態、第１スリープ状態、第２スリープ状態、およびスタンバイ状態のいずれかの状態となる。
【００３６】
電源オフ状態は、画像形成装置１０の各部に電力が供給されていない状態である。電源オフ状態では、図３の各スイッチ４１６〜４２１がＯＦＦ状態になっている。なお、電源オフ状態は、ハイバネーション状態であっても良い。このハイバネーション状態では、電源オフ状態と同様に各スイッチ４１６〜４２１がＯＦＦ状態になっている。ハイバネーション状態では、ハイバネーション状態に移行する前の画像形成装置１０の状態がＨＤＤ３０４に記憶される。画像形成装置１０は、ハイバネーション状態から復帰する場合に、ＨＤＤ３０４に記憶された情報を用いて高速復帰することができる。
【００３７】
電源スイッチ４１６がＯＦＦ状態になったときに、画像形成装置１０が電源オフ状態に移行するのか、もしくはサスペンド状態に移行するのかは、ユーザが予め設定しておく。電源スイッチ４１６がユーザの操作によってＯＦＦ状態になったとき、画像形成装置１０は、上記したユーザの設定に応じて、電源オフ状態またはサスペンド状態に移行する。具体的には、ユーザの設定によって画像形成装置１０がサスペンド状態への移行が有効に設定されている場合に、ユーザの操作によって電源スイッチ４１６がＯＦＦ状態になると、画像形成装置１０はサスペンド状態になる。一方、ユーザの設定によって画像形成装置１０がサスペンド状態への移行が無効に設定されている場合に、ユーザの操作によって電源スイッチ４１６がＯＦＦ状態になると、画像形成装置１０は電源ＯＦＦ状態になる。
【００３８】
第２スリープ状態では、電源制御部４０１、ＲＡＭ３０２、ＬＡＮコントローラ３０６および操作部１２のボタン１２１を除く画像形成装置１０の各部に電力が供給されない。第２スリープ状態では、第１電源供給部４１０から、電源制御部４０１、ＲＡＭ３０２、ＬＡＮコントローラ３０６および操作部１２のボタン１２１に電力が供給されている。第２スリープ状態では、図３のスイッチ４１６、４１７および４２０、がＯＮ状態となり、且つ、その他のスイッチ４１８、１４８および４２１がＯＦＦ状態となる。この第２スリープ状態では、ユーザによる操作部１２のボタン１２１の操作を受け付けることができる。また、第２スリープ状態では、ＬＡＮコントローラ３０６が外部装置２０から送信されるパケットを受信することができる。この第２スリープ状態では、ＬＡＮコントローラ３０６が、外部装置２０から送信される特定のパケットに対して、コントローラ１１のＣＰＵ３０１の代わりに、応答を返す。当該ＬＡＮコントローラ３０６の機能を代理応答と呼ぶ。ＬＡＮコントローラ３０６が代理応答を行うことによって、第２スリープ状態のままで（スリープ復帰しないで）、外部装置から送信される特定のパケットに対して応答することができる。
【００３９】
第１スリープ状態は、ネットワーク６０からの問い合わせなどに対してコントローラ１１の全てを起動させずに応答するための状態である。第２スリープ状態で、ＬＡＮコントローラ３０６が代理応答できないパケット（ネットワーク６０からの問い合わせなど）を外部装置２０から受信した場合には、画像形成装置１０は第２スリープ状態から第１スリープ状態に移行する。第１スリープ状態では、第１電源供給部４１０からＣＰＵ３０１およびＨＤＤ３０４に電力が供給されるので、ＣＰＵ３０１がＨＤＤ３０４に格納される情報を用いて、当該パケットに対して応答を返すことができる。この第１スリープ状態では、電源制御部４０１、ＲＡＭ３０２、ＬＡＮコントローラ３０６、操作部１２のボタン１２１、ＣＰＵ３０１、ＲＯＭ３０３およびＨＤＤ３０４に電力が供給されている。第１スリープ状態では、第２電源系統のデバイスおよび第３電源系統のデバイスに電力が供給されていない。第１スリープ状態では、図３のスイッチ４１６、４１７、４２０および４２１がＯＮ状態となり、且つ、スイッチ４１８および１４８がＯＦＦ状態となる。
【００４０】
スタンバイ状態は、プリント処理およびスキャナ処理など画像形成装置１０が有する各機能を実行することが可能な状態である。電源オフ状態やサスペンド状態で電源スイッチ４１６がＯＦＦ状態からＯＮ状態になった場合には、画像形成装置１０はスタンバイ状態に移行する。また、第２スリープ状態で外部装置２０からＰＤＬ（ｐａｇｅ  ｄｅｓｃｒｉｐｔｉｏｎ  ｌａｎｇｕａｇｅ）プリントジョブを受信した場合にも、画像形成装置１０はスタンバイ状態に移行する。スタンバイ状態では、コントローラ１１、操作部１２、プリンタ部１４およびスキャナ部１３の各部に電力が供給される。具体的には、スタンバイ状態では、図３の各スイッチ４１６〜４２１がＯＮ状態となる。
【００４１】
なお、画像形成装置１０は、上記した電源ＯＦＦ状態、第１スリープ状態、第１スリープ状態、およびスタンバイ状態以外の状態になってもよい。具体的には、画像形成装置１０は、サスペンド状態になっても良い。サスペンド状態とは、電源制御部４０１およびＲＡＭ３０２を除く画像形成装置１０の各部に電力が供給されていない状態である。サスペンド状態では、図３のスイッチ４１７がＯＮ状態となり、且つ、その他のスイッチ４１６および４１８〜４２１がＯＦＦ状態となっている。このサスペンド状態では、電力供給が維持されているＲＡＭ３０２に、サスペンド状態に移行する前の画像形成装置１０の状態が記憶されている。画像形成装置１０は、ＲＡＭ３０２に記憶された画像形成装置１０の状態を用いて高速復帰することができる。
【００４２】
次に、図４を参照して、画像形成装置１０の電力状態の遷移について説明する。
【００４３】
スタンバイ状態等で、電源スイッチ４１６がＯＦＦ状態になると、画像形成装置１０は電源オフ状態に移行する（図４の（１）参照）。
【００４４】
また、電源オフ状態で、電源スイッチ４１６がＯＮ状態になると、画像形成装置１０はスタンバイ状態に移行する（図４の（２）参照）。
【００４５】
また、第１スリープ状態および第２スリープ状態で、外部装置２０からＰＤＬプリントジョブを受信した場合に、画像形成装置１０はスタンバイ状態に移行する（図４の（３）参照）。
【００４６】
また、第２スリープ状態で、ＬＡＮコントローラ３０６が代理応答できないパケットを受信した場合および操作部１２のボタン１２１が押下された場合には、画像形成装置１０は第１スリープ状態に移行する（図４の（４）参照）。
【００４７】
また、第１スリープ状態で、操作部１２のボタン１２１が操作されない状態で所定時間が経過し、且つ、ＰＤＬプリントジョブを受信しない状態で所定時間が経過した場合には、画像形成装置１０は第２スリープ状態に移行する（図４の（５）参照）。
【００４８】
また、スタンバイ状態で、操作部１２の節電ボタン１２１ｃが押下された場合、画像形成装置１０は第１スリープ状態に移行する（図４の（６）参照）。
【００４９】
ここで、電源制御部４０１の詳細について説明する。
【００５０】
電源制御部４０１は、ＣＰＬＤ（Ｃｏｍｐｌｅｘ  Ｐｒｏｇｒａｍｍａｂｌｅ  Ｌｏｇｉｃ  Ｄｅｖｉｃｅ）である。この電源制御部４０１は、画像形成装置１０が上記した各電力状態に移行するのを制御する。この電源制御部４０１は、第２スリープ状態で電力が供給されており、第２スリープ状態からの復帰要因（操作部１２のボタン１２１の押下、代理応答できないパケット（ＰＤＬプリントジョブを含む）の受信など）を検知する。なお、第２スリープ状態からの復帰要因は、ボタン１２１の押下および代理応答できないパケットの受信だけに限らない。例えば、画像形成装置１０にＦＡＸ機能が搭載されている場合に、ＦＡＸを受信したときに第２スリープ状態から復帰しても良い。
【００５１】
電源制御部４０１は、ＣＰＵ３０１と通信して、当該ＣＰＵ３０１からの命令に従って、各スイッチ４１７〜４２１の状態をＯＮ状態またはＯＦＦ状態に変更する。
【００５２】
また、電源制御部４０１には、ＬＡＮコントローラ３０６からＷａｋｅ信号Ｊが入力される。ＬＡＮコントローラ３０６がネットワーク６０を介して代理応答できないパケット（ＰＤＬプリントジョブを含む）を受信した場合に、ＬＡＮコントローラ３０６は、電源制御部４０１にＷａｋｅ信号Ｊを出力する。電源制御部４０１は、Ｗａｋｅ信号Ｊを受信した場合に、スイッチ４２１をＯＮ状態にする。スイッチ４２１がＯＮ状態になったことによって起動されたＣＰＵ３０１が、受信したパケットを解析して、ＰＤＬプリントジョブだと判断した場合には、電源制御部４０１にスイッチ４１８および４１９がＯＮ状態になるように、制御信号Ｆを出力する。これにより、画像形成装置１０がスタンバイ状態に移行する。なお、受信したパケットがＨＤＤ３０４に格納された情報を用いて応答可能なパケットである場合には、電源制御部４０１は、制御信号Ｆを出力しない。このため、スイッチ４１８および４１９がＯＮ状態にならない。
【００５３】
また、電源制御部４０１には、操作部１２のボタン１２１からＷａｋｅ信号Ｉが入力される。操作部１２のボタン１２１をユーザが押下した場合に、操作部１２は、電源制御部４０１にＷａｋｅ信号Ｉを出力する。電源制御部４０１は、Ｗａｋｅ信号Ｊを受信した場合に、スイッチ４２１をＯＮ状態にする。操作部１２のボタン１２１をユーザが押下した場合、操作部１２の表示部１２２を点灯しても良い。
【００５４】
＜電源制御部４０１の動作＞
次に、図６を参照して、電源オフ状態から起動するときに電源制御部４０１で実行される動作について説明する。
【００５５】
電源オフ状態でメインスイッチ４１６がユーザの操作によってＯＦＦ状態からＯＮ状態になると、第１電源供給部４１０から電源制御部４０１に電力が供給される。第１電源供給部４１０から出力される電圧が安定すると、第１電源監視部４１３が電源制御部４０１に対してパワーグッド信号Ａを出力する。パワーグッド信号Ａを受信した電源制御部４０１は、制御信号Ｇ、ＨおよびＥを出力して、スイッチ４１８〜４２１をＯＮ状態にする（Ｓ５０２）。これにより、ＣＰＵ３０１、プリンタ部１４およびスキャナ部１３などに電力が供給される。電力が供給されたＣＰＵ３０１は、起動処理を実行する。
【００５６】
また、第２スリープ状態で外部装置２０から代理応答できないパケットを受信した場合には、電源制御部４０１は、スイッチ４２１をＯＮ状態にする。これにより、ＣＰＵ３０１に電力が供給される。電力が供給されたＣＰＵ３０１は、受信したパケットを解析して、ＰＤＬプリントジョブを受信したと判断した場合には、電源制御部４０１がスイッチ４１８および４１９をＯＮ状態にするように制御する。具体的には、電源制御部４０１は、制御信号Ｆを出力して、スイッチ４１８および４１９をＯＮ状態にする（Ｓ５０２）。これにより、プリンタ部１４およびスキャナ部１３などに電力が供給される。
【００５７】
ここで、本実施形態では、電源制御部４０１は、第２電源供給部４１１の出力電圧に異常がないか判断する（Ｓ５０３）。第２電源監視部４１３によって、第２電源供給部４１１の出力電圧が閾値を超えたことが検知された場合、第２電源監視部４１３からパワーグッド信号Ｂが電源制御部４０１に出力される。電源制御部４０１が前記パワーグッド信号Ｂを受信した場合には、電源制御部４０１は、第２電源供給部４１１から正常に電圧が出力されていると判断する。一方、電源制御部４０１がスイッチ４１８をＯＮ状態にした後、所定時間（例えば、１４秒）が経過するまでに、パワーグッド信号Ｂを受信できない場合、電源制御部４０１は第２電源供給部４１１から正常に電圧が出力されていないと判断する（Ｓ５０３）。当該所定時間は、電源制御部４０１に設けられるタイマによって計測される。
【００５８】
第２電源供給部４１１から正常に電圧が出力されない原因は、電源オフ状態からの復帰時や第２スリープ状態からの復帰時に、プラグＰから供給される交流電力が安定していない場合が考えられる。当該交流電力が安定していない状態で、高負荷のデバイスに電力をするときに、第２電源供給部４１１の出力電圧が上昇しない場合がある。ただし、上記した交流電力は、時間が経過すれば、安定する可能性がある。
【００５９】
ここで、本実施形態では、第２電源供給部４１１から正常に電圧が出力されていないと判断された場合（Ｓ５０３：Ｎｏ）、電源制御部４０１は、制御信号Ｆの出力を停止して、スイッチ４１８および４１９をＯＦＦ状態にする（Ｓ５０４）。これにより、第２電源供給部４１１および第３電源供給部４１２からプリンタ部１４やスキャナ部１３などへの電力供給が停止される。第２電源供給部４１１および第３電源供給部４１２のキャパシタに溜まった電荷が抜けるまでの間、電源制御部４０１は、スイッチ４１８および４１９をＯＦＦ状態にする。具体的には、電源制御部４０１は、スイッチ４１８および４１９をＯＦＦ状態にした後、所定時間（例えば、１秒間）経過したら（Ｓ５０５：Ｙｅｓ）、電源制御部４０１は制御信号Ｆを出力して、スイッチ４１８および４１９をＯＮ状態にする（Ｓ５０６）。これにより、第２電源供給部４１１および第３電源供給部４１２からからプリンタ部１４やスキャナ部１３などへ電力が供給される。
【００６０】
スイッチ４１８および４１９をＯＮ状態からＯＦＦ状態にして、再度ＯＮ状態にしたにも関わらず、第２電源供給部４１１から正常に電圧が出力されない場合には（Ｓ５０７：Ｎｏ）、電源制御部４０１は、制御信号Ｆの出力を停止する（Ｓ５０８）。これにより、スイッチ４１８および４１９がＯＦＦ状態になる。このとき、電源制御部４０１は、ＣＰＵ３０１に対して割り込み信号を出力する（Ｓ５０９）。当該割り込み信号を受信したＣＰＵ３０１は、実行している処理を終了してから、シャットダウン処理を実行する。具体的には、ＣＰＵ３０１は、画像形成装置１０の各デバイスを正常に終了するため、コントローラ１１で実行中のアプリケーションを終了させる。ＣＰＵ３０１は、シャットダウン処理が終了すると、当該シャットダウン処理が終了したことを示す情報を電源制御部４０１に通知する。ここでは、ＣＰＵ３０１が電源制御部４０１から割り込み信号を受信したときにシャットダウン処理を実行する例について説明したが、本発明はこれに限定されない。ＣＰＵ３０１が電源制御部４０１と通信を行い、第２電源供給部４１１の状態を確認した上で、シャットダウン処理を開始しても良い。
【００６１】
そして、電源制御部４０１は、上記したシャットダウン処理が終了したかどうかを判断して（Ｓ５１０）、シャットダウン処理が終了したと判断した場合には（Ｓ５１０：Ｙｅｓ）、制御信号Ｅを出力してスイッチ４１７をＯＦＦ状態にする。電源制御部４０１は、シャットダウン処理が終了したときにＣＰＵ３０１から通知される情報に基づいて、Ｓ６１０の判断を行う。また、電源制御部４０１は、制御信号Ｋを出力する。これにより、図示しないソレノイドに電圧が印加されて、メインスイッチ４１６もＯＦＦ状態になる。
【００６２】
一方、第２電源供給部４１１から正常に電圧が出力される場合には（Ｓ５０３：Ｙｅｓ）、電源制御部４０１は、第３電源供給部４１２の出力電圧に異常がないか判断する（Ｓ５１３）。第３電源監視部４１５によって、第３電源供給部４１２の出力電圧が閾値を超えて印加されたことが検知された場合、第３電源監視部４１５からパワーグッド信号Ｃが電源制御部４０１に出力される。電源制御部４０１が前記パワーグッド信号Ｃを受信した場合には、電源制御部４０１は、第３電源供給部４１２から正常に電圧が出力されていると判断する。一方、電源制御部４０１がスイッチ４１９をＯＮ状態にした後、所定時間（例えば、１４秒）が経過するまでに、パワーグッド信号Ｃを受信できない場合、電源制御部４０１は第３電源供給部４１２から正常に電圧が出力されていないと判断する（Ｓ５１３）。
【００６３】
ここで、本実施形態では、第３電源供給部４１２から正常に電圧が出力されていないと判断された場合（Ｓ５１３：Ｎｏ）、電源制御部４０１は、制御信号Ｆの出力を停止して、スイッチ４１８および４１９をＯＦＦ状態にする（Ｓ５１４）。これにより、第２電源供給部４１１および第３電源供給部４１２からプリンタ部１４やスキャナ部１３などへの電力供給が停止される。第２電源供給部４１１および第３電源供給部４１２のキャパシタに溜まった電荷が抜けるまでの間、電源制御部４０１は、スイッチ４１８および４１９をＯＦＦ状態にする。具体的には、電源制御部４０１は、スイッチ４１８および４１９をＯＦＦ状態にした後、所定時間（例えば、１秒間）経過したら（Ｓ５１５：Ｙｅｓ）、電源制御部４０１は制御信号Ｆを出力して、スイッチ４１８および４１９をＯＮ状態にする（Ｓ５１６）。これにより、第２電源供給部４１１および第３電源供給部４１２からからプリンタ部１４やスキャナ部１３などへ電力が供給される。
【００６４】
スイッチ４１８および４１９をＯＮ状態からＯＦＦ状態にして、再度ＯＮ状態にしたにも関わらず、第３電源供給部４１２から正常に電圧が出力されない場合には（Ｓ５１７：Ｎｏ）、電源制御部４０１は、制御信号Ｆの出力を停止する（Ｓ５１８）。そして、スイッチ４１８および４１９をＯＦＦ状態にする。このとき、電源制御部４０１は、ＣＰＵ３０１に対して割り込み信号を出力する（Ｓ５１９）。当該割り込み信号を受信したＣＰＵ３０１は、実行している処理を終了してから、シャットダウン処理を実行する。具体的には、ＣＰＵ３０１は、画像形成装置１０の各デバイスを正常に終了するため、コントローラ１１で実行中のアプリケーションを終了させる。
【００６５】
そして、電源制御部４０１は、上記したシャットダウン処理が終了したかどうかを判断して（Ｓ５２０）、シャットダウン処理が終了したと判断した場合には（Ｓ５２１：Ｙｅｓ）、制御信号Ｅを出力してスイッチ４１７をＯＦＦ状態にする。また、電源制御部４０１は、制御信号Ｋを出力する。これにより、図示しないソレノイドに電圧が印加されて、メインスイッチ４１６もＯＦＦ状態にする。
【００６６】
次に、図９を参照して、電源電圧が低下した場合に電源制御部から出力される制御信号について説明する。ここでは、プラグＰから供給される電源電圧が降下した後、当該電源電圧が安定する場合について説明する。
【００６７】
まず、電源スイッチ４１６がユーザの操作によりＯＦＦ状態からＯＮ状態にされると、電源電圧が安定しているので、第１電源監視部４１３からパワーグッド信号Ａが出力される。パワーグッド信号Ａが出力される場合、電源制御部４０１は、制御信号Ｆ、Ｇ、Ｈを出力する。制御信号Ｈが出力されることにより、ＣＰＵ３０１に第１電源供給部４１０から電力が供給される。
【００６８】
制御信号Ｆが出力されてスイッチ４１８および４１９がＯＮ状態になると、電源電圧が安定しているので、第２電源監視部４１４および第３電源監視部４１５からパワーグッド信号ＢおよびＣが出力される。
【００６９】
ここで、電源電圧が不安定になって電圧降下すると、第１電源監視部４１３が監視する電圧が閾値より低くなるので、パワーグッド信号Ａの出力が停止される。そうすると、電源制御部４０１は、制御信号Ｆ、Ｇ、Ｈの出力を停止する。これにより、第２電源監視部４１４および第３電源監視部４１５が監視する電圧が閾値より低くなるので、パワーグッド信号ＢおよびＣの出力が停止される。
【００７０】
しばらくして、電源電圧が上昇してくると、第１電源監視部４１３が監視する電圧が閾値より高くなるので、パワーグッド信号Ａが出力される。パワーグッド信号Ａが出力される場合、電源制御部４０１は、制御信号Ｆ、Ｇ、Ｈを出力する。パワーグッド信号Ａが出力されている場合には、第１電源供給部４１０は、第１電源系統のデバイス（ＣＰＵ３０１など）を駆動するための電力供給ができる。しかしながら、プリンタ部１４およびスキャナ部１３に電力が供給できるほど、電源電圧が上昇していない。このため、第２電源監視部４１４および第３電源監視部４１５から、パワーグッド信号ＢおよびＣが出力されない。この場合、第２電源供給部４１１および第３電源供給部４１２の保護回路が過電流を検知することになり、当該保護回路が、第２電源供給部４１１および第３電源供給部４１２から電力が出力されるのを遮断する。したがって、パワーグッド信号ＢおよびＣが出力されない状態が継続する。ここで、本実施形態では、制御信号Ｆを出力した後、所定時間（例えば、１４秒）が経過する前に、電源制御部４０１がパワーグッド信号ＢおよびＣを受信できない場合には、電源制御部４０１は制御信号Ｆの出力を停止する。そして、所定時間（例えば、１秒）が経過した後に、電源制御部４０１は、制御信号Ｆを出力する。なお、制御信号ＧおよびＨの出力は、維持されている。
【００７１】
電源制御部４０１が制御信号Ｆの出力を停止した後、再開することによって、パワーグッド信号ＢおよびＣが出力されない状態が解除される。制御信号Ｆが出力されてスイッチ４１８および４１９がＯＮ状態になると、電源電圧が安定しているので、第２電源監視部４１４および第３電源監視部４１５からパワーグッド信号ＢおよびＣが出力される。
【００７２】
上記した第１実施形態では、第２電源供給部４１１から出力される電圧（第２の出力電圧）が上昇しない場合に、第２電源供給部４１１からの電力供給が一旦停止される。そして、所定時間経過後に、第２電力供給部４１１からの電力供給が再開される。このように、第２電源供給部４１１からの電力供給がＯＦＦされた後、ＯＮされることによって、第２電源供給部４１１からの電力供給が安定する場合がある。
【００７３】
また、第２実施形態では、第３電源供給部４１２から出力される電圧（第２の出力電圧）が上昇しない場合に、第３電源供給部４１２からの電力供給が一旦停止される。そして、所定時間経過後に、第３電力供給部４１２からの電力供給が再開される。このように、第３電源供給部４１２からの電力供給がＯＦＦされた後、ＯＮされることによって、第３電源供給部４１２からの電力供給が安定する場合がある。
【００７４】
第１実施形態では、第２電源供給部４１２または第３電源供給部４１３から出力される電圧が安定しない場合に、第２電源供給部４１２および第３電源供給部４１３から出力される電力が遮断されるが、ＣＰＵ３０１への電力供給は維持される。これにより、ＣＰＵ３０１は、第２電源供給部４１２および第３電源供給部４１３から出力される電力が遮断されている間も、起動処理などの処理を継続して実行することができる。その結果、電圧が安定しないことに起因して、ＣＰＵ３０１への電力供給を停止する場合（ＢＩＯＳやＯＳの起動処理などを実行する場合）に比べて、画像形成装置１０が使用可能になるまで早くなる。
【００７５】
第１実施形態では、出力電圧が大きく安定しにくい第２電源供給部４１２および第３電源供給部４１３からの出力電圧が安定するのを待つ間に、出力電圧が小さく安定している第１電源供給部４１１からの出力電圧で動作するＣＰＵ３０１が処理を継続する。
【００７６】
（第２実施形態）
上記した第１実施形態では、第２電源供給部４１１の出力電圧を監視する第２電源監視部４１５および第３電源供給部４１２の出力電圧を監視する４１５第３電源監視部４１６の両方を設ける例について説明した。第２実施形態の画像形成装置は、図７に示すように、第２電源供給部４１１の出力電圧を監視する第２電源監視部４１５を備えるが、第３電源供給部４１２の出力電圧を監視する４１５第３電源監視部４１６を備えていない。
【００７７】
＜電源制御部４０１の動作＞
次に、図８を参照して、電源オフ状態から起動するときに電源制御部４０１で実行される動作について説明する。
【００７８】
電源オフ状態でメインスイッチ４１６がユーザの操作によってＯＦＦ状態からＯＮ状態になると、第１電源供給部４１０から電源制御部４０１に電力が供給される。電力が供給された電源制御部４０１は、第１電源供給部４１０の電圧が安定したときに、制御信号Ｇ、ＨおよびＥを出力して、スイッチ４１８〜４２１をＯＮ状態にする（Ｓ６０２）。これにより、ＣＰＵ３０１、プリンタ部１４およびスキャナ部１３などに電力が供給される。電力が供給されたＣＰＵ３０１は、起動処理を実行する。
【００７９】
また、第２スリープ状態で外部装置２０から代理応答できないパケットを受信した場合には、電源制御部４０１は、スイッチ４２１をＯＮ状態にする。これにより、ＣＰＵ３０１に電力が供給される。電力が供給されたＣＰＵ３０１は、受信したパケットを解析して、ＰＤＬプリントジョブを受信したと判断した場合には、電源制御部４０１がスイッチ４１８および４１９をＯＮ状態にするように制御する。具体的には、電源制御部４０１は、制御信号Ｆを出力して、スイッチ４１８および４１９をＯＮ状態にする（Ｓ６０２）。これにより、プリンタ部１４およびスキャナ部１３などに電力が供給される。
【００８０】
ここで、本実施形態では、電源制御部４０１は、第２電源供給部４１１の出力電圧に異常がないか判断する（Ｓ６０３）。第２電源監視部４１３によって、第２電源供給部４１１の出力電圧が閾値を超えて印加されたことが検知された場合、第２電源監視部４１３からパワーグッド信号Ｂが電源制御部４０１に出力される。電源制御部４０１が前記パワーグッド信号Ｂを受信した場合には、電源制御部４０１は、第２電源供給部４１１から正常に電圧が出力されていると判断する。一方、電源制御部４０１がスイッチ４１８をＯＮ状態にした後、所定時間（例えば、１４秒）が経過するまでに、パワーグッド信号Ｂを受信できない場合、電源制御部４０１は第２電源供給部４１１から正常に電圧が出力されていないと判断する（Ｓ６０３）。
【００８１】
ここで、本実施形態では、第２電源供給部４１１から正常に電圧が出力されていないと判断された場合（Ｓ６０３：Ｎｏ）、電源制御部４０１は、制御信号Ｆの出力を停止して、スイッチ４１８および４１９をＯＦＦ状態にする（Ｓ６０４）。これにより、第２電源供給部４１１および第３電源供給部４１２からプリンタ部１４やスキャナ部１３などへの電力供給が停止される。第２電源供給部４１１および第３電源供給部４１２のキャパシタに溜まった電荷が抜けるまでの間、電源制御部４０１は、スイッチ４１８および４１９をＯＦＦ状態にする。具体的には、電源制御部４０１は、スイッチ４１８および４１９をＯＦＦ状態にした後、所定時間（例えば、１秒間）経過したら（Ｓ６０５：Ｙｅｓ）、電源制御部４０１は制御信号Ｆを出力して、スイッチ４１８および４１９をＯＮ状態にする（Ｓ６０６）。これにより、第２電源供給部４１１および第３電源供給部４１２からからプリンタ部１４やスキャナ部１３などへ電力が供給される。
【００８２】
そして、スイッチ４１８および４１９をＯＮ状態からＯＦＦ状態にして、再度ＯＮ状態にしたにも関わらず、第２電源供給部４１１から正常に電圧が出力されない場合には（Ｓ６０７：Ｎｏ）、電源制御部４０１は、制御信号Ｆの出力を停止する。そして、スイッチ４１８および４１９をＯＦＦ状態にする（Ｓ６０８）。このとき、電源制御部４０１は、ＣＰＵ３０１に対して割り込み信号を出力する（Ｓ６０９）。当該割り込み信号を受信したＣＰＵ３０１は、実行している処理を終了してから、シャットダウン処理を実行する。具体的には、ＣＰＵ３０１は、画像形成装置１０の各デバイスを正常に終了するため、コントローラ１１で実行中のアプリケーションを終了させる。ＣＰＵ３０１は、シャットダウン処理が終了すると、当該シャットダウン処理が終了したことを示す情報を電源制御部４０１に通知する。
【００８３】
そして、電源制御部４０１は、上記したシャットダウン処理が終了したかどうかを判断して（Ｓ６１０）、シャットダウン処理が終了したと判断した場合には（Ｓ６１０：Ｙｅｓ）、制御信号Ｅを出力してスイッチ４１７をＯＦＦ状態にする。電源制御部４０１は、シャットダウン処理が終了したときにＣＰＵ３０１から通知される情報に基づいて、Ｓ６１０の判断を行う。また、電源制御部４０１は、図示しないソレノイドに電圧を印加することによって、メインスイッチ４１６もＯＦＦ状態にする。
【００８４】
一方、第２電源供給部４１１から正常に電圧が出力される場合には（Ｓ６０３：Ｙｅｓ）、電源制御部４０１は、電力状態を遷移させる要因が検出されるまで、待機する。
【００８５】
＜その他の実施形態＞
以上、本発明の好適な実施形態に基づいて詳述してきたが、本発明はこれら特定の実施形態に限られるものではなく、この発明の要旨を逸脱しない範囲の様々な形態も本発明に含まれる。また、上述の実施形態の一部を適宜組み合わせてもよい。
【００８６】
上記した実施形態では、スイッチ４１８および４１９をＯＮしたときに、第１電源供給部４１１の出力電圧または第２電源供給部４１２の出力電圧が低い場合に、一旦スイッチ４１８および４１９をＯＦＦにする。そして、再度、スイッチ４１８および４１９をＯＮする。それでも、第１電源供給部４１１の出力電圧または第２電源供給部４１２の出力電圧が低い場合に、シャットダウン処理を行う。つまり、第１実施形態では、スイッチ４１８および４１９を１回だけＯＦＦ−ＯＮしても出力電圧が異常な場合に、シャットダウン処理を実行する。本発明はこれに限らず、スイッチ４１８および４１９のＯＦＦ−ＯＮを複数回繰り返しても、出力電圧の異常が発生する場合に、シャットダウン処理を実行しても良い。
【００８７】
上記実施形態では、図６に示した各ステップをハードウェアロジック回路の電源制御部４０１が実行する例について説明した。本発明はこれに限らず、電源制御部４０１がプログラムを実行することによって、図６に示した各ステップを実行しても良い。
【００８８】
本実施形態におけるフローチャートに示す機能は、ネットワーク又は各種記憶媒体を介して取得したソフトウエア（プログラム）をコンピュータパソコン等の処理装置（ＣＰＵ、プロセッサ）にて実行することでも実現できる。
【符号の説明】
【００８９】
１０  画像形成装置
１１  コントローラ
１３  スキャナ部
１４  プリンタ部
４１０  第１電源供給部
４１１  第２電源供給部
４１２  第３電源供給部
４１４  第２電源監視部
４１５  第３電源監視部
３０１  ＣＰＵ
４０１電源制御部
【図１】
2015011509.tif 000003
【図２】
2015011509.tif 000004
【図３】
2015011509.tif 000005
【図４】
2015011509.tif 000006
【図５】
2015011509.tif 000007
【図６】
2015011509.tif 000008
【図７】
2015011509.tif 000009
【図８】
2015011509.tif 000010
【図９】
2015011509.tif 000011